(57)【要約】【課題】センサで検知する複数種類の検知情報を別の情報に変換することで有用性の向上を図る。【解決手段】ゲートウェイ装置２の制御部２０は、シリアル通信部２１でセンサ親機１Ｘから定期的に受信する検知情報(計測値)を記憶部２４に記憶する。そして、制御部２０は、記憶部２４に記憶した温度、湿度、活動量、風速の検知情報(計測値)から標準有効温度を算出し、算出(変換)した標準有効温度を記憶部２４に記憶する。さらに、制御部２０は、記憶部２４から読み出した最新の標準有効温度をネットワーク通信部２２からネットワーク接続装置４を経由して表示装置５へ伝送する。表示装置５は、ゲートウェイ装置２から受け取った最新の標準有効温度を画面に表示することにより、利用者に対して、住宅８内の快適性を表す情報を提示する。【選択図】        図１
2015081718.tif 000002
【特許請求の範囲】
【請求項１】
複数のセンサ端末と、情報処理装置とを有し、
複数の前記センサ端末は、それぞれが利用者に関する異なる種類の事象を検知し、検知情報を前記情報処理装置へ伝送するように構成され、
前記情報処理装置は、前記センサ端末から伝送される複数種類の前記検知情報を別の情報に変換し、変換後の前記別の情報を前記利用者に提供するように構成されることを特徴とするセンサシステム。
【請求項２】
前記情報処理装置は、前記センサ端末から前記検知情報が伝送される伝送装置と、前記伝送装置から前記検知情報を取得し、取得した前記検知情報を前記別の情報に変換する主装置とを有することを特徴とする請求項１記載のセンサシステム。
【請求項３】
映像や文字を表示する表示装置を有し、前記表示装置は、前記情報処理装置から受け取る前記別の情報を表示して前記利用者に提示するように構成されることを特徴とする請求項１又は２記載のセンサシステム。
【請求項４】
複数の前記センサ端末は、利用者が活動する場所の気温を検知するセンサ端末と、前記活動場所の湿度を検知するセンサ端末と、前記活動場所の風速を検知するセンサ端末と、前記利用者の活動量を検知するセンサ端末とを少なくとも含み、
前記情報処理装置は、前記各センサ端末が検知する気温、湿度、風速、活動量の各検知情報を快適性を示す情報に変換するように構成されることを特徴とする請求項１〜３の何れか１項に記載のセンサシステム。
【請求項５】
前記情報処理装置は、前記活動場所の環境を整える１乃至複数の機器を制御し、前記快適性を向上させるように構成されることを特徴とする請求項４記載のセンサシステム。
【発明の詳細な説明】
【技術分野】
【０００１】
本発明は、複数種類のセンサを有するセンサシステムに関する。
【背景技術】
【０００２】
従来例として、特許文献１に記載されているホームセキュリティ監視システムを例示する。この従来システムは、煙センサを用いて火災を感知する複数の検知端末と、検知端末の検知情報を収集するゲートウェイユニットと、ゲートウェイユニットとネットワーク経由で通信するサーバとで構成される。この従来システムでは、検知端末が火災を感知したときにゲートウェイユニットからサーバに支援要求信号が送信される。そして、支援要求信号を受信したサーバは、例えば、有資格者を顧客住宅に派遣したり、外出中の顧客への緊急対処の通知のような支援を行うサービスを提供する。
【先行技術文献】
【特許文献】
【０００３】
【特許文献１】特許第５１６２０３４号公報
【発明の概要】
【発明が解決しようとする課題】
【０００４】
ところで、人が生活する環境の快適度のように、温度(気温)や湿度、日射量や風速などの様々な環境要因によって決定される情報を、特許文献１記載の従来例のように１種類のセンサの検知結果のみから取得することは困難である。
【０００５】
本発明は、上記課題に鑑みて為されたものであり、センサで検知する複数種類の検知情報を別の情報に変換することで有用性の向上を図ることを目的とする。
【課題を解決するための手段】
【０００６】
本発明のセンサシステムは、複数のセンサ端末と、情報処理装置とを有し、複数の前記センサ端末は、それぞれが利用者に関する異なる種類の事象を検知し、検知情報を前記情報処理装置へ伝送するように構成され、前記情報処理装置は、前記センサ端末から伝送される複数種類の前記検知情報を別の情報に変換し、変換後の前記別の情報を前記利用者に提供するように構成されることを特徴とする。
【０００７】
このセンサシステムにおいて、前記情報処理装置は、前記センサ端末から前記検知情報が伝送される伝送装置と、前記伝送装置から前記検知情報を取得し、取得した前記検知情報を前記別の情報に変換する主装置とを有することが好ましい。
【０００８】
このセンサシステムにおいて、映像や文字を表示する表示装置を有し、前記表示装置は、前記情報処理装置から受け取る前記別の情報を表示して前記利用者に提示するように構成されることが好ましい。
【０００９】
このセンサシステムにおいて、複数の前記センサ端末は、利用者が活動する場所の気温を検知するセンサ端末と、前記活動場所の湿度を検知するセンサ端末と、前記活動場所の風速を検知するセンサ端末と、前記利用者の活動量を検知するセンサ端末とを少なくとも含み、前記情報処理装置は、前記各センサ端末が検知する気温、湿度、風速、活動量の各検知情報を快適性を示す情報に変換するように構成されることが好ましい。
【００１０】
このセンサシステムにおいて、前記情報処理装置は、前記活動場所の環境を整える１乃至複数の機器を制御し、前記快適性を向上させるように構成されることが好ましい。
【発明の効果】
【００１１】
本発明のセンサシステムは、検知情報を変換した別の情報を利用者に提示することにより、検知情報を単に利用者に提示する場合と比較して、有用性の向上を図ることができるという効果がある。
【図面の簡単な説明】
【００１２】
【図１】本発明に係るセンサシステムの実施形態を示すシステム構成図である。
【図２】同上におけるゲートウェイ装置のブロック図である。
【図３】同上における快適性指標の説明図である。
【発明を実施するための形態】
【００１３】
本発明に係るセンサシステムの実施形態について、図面を参照して詳細に説明する。
【００１４】
本実施形態は、図１に示すように複数種類のセンサ端末１Ａ，１Ｂ，１Ｃと、センサ親機１Ｘと、ゲートウェイ装置２と、サーバ３と、ネットワーク接続装置４と、表示装置５と、複数種類の機器(エアコン６Ａ、加湿器６Ｂ、天井扇６Ｃなど)とを有する。なお、サーバ３以外のものは、利用者の活動場所、例えば、当該利用者の自宅(住宅)８に設置される。また、サーバ３は、住宅８から離れた場所に設置され、インターネットのようなネットワーク７を通じてネットワーク接続装置４及びゲートウェイ装置２と通信可能に接続される。
【００１５】
センサ端末１Ａは、住宅８内の温度(気温)並びに湿度を検知(計測)し、温度の検知情報(気温の計測値)と湿度の検知情報(湿度の計測値)を、電波を媒体とする無線信号でセンサ親機１Ｘへ伝送するように構成される。
【００１６】
また、センサ端末１Ｂは、利用者の身体に取り付けられて当該利用者の活動量を検知(計測)し、活動量の検知情報(計測値)を、電波を媒体とする無線信号でセンサ親機１Ｘへ伝送するように構成される。なお、センサ端末１Ｂは加速度センサを備えており、加速度センサで検知する加速度の大きさから利用者の活動量を演算するように構成されている。
【００１７】
さらに、センサ端末１Ｃは、住宅８内の風速を検知(計測)し、風速の検知情報(計測値)を、電波を媒体とする無線信号でセンサ親機１Ｘへ伝送するように構成される。
【００１８】
なお、これらのセンサ端末１Ａ〜１Ｃは、一定の周期(例えば、数秒〜十数分の周期)で計測値をセンサ親機１Ｘへ伝送している。
【００１９】
センサ親機１Ｘは、センサ端末１Ａ〜１Ｃが送信する無線信号を受信し、受信した無線信号に含まれる各センサ端末１Ａ〜１Ｃの検知情報(計測値)を、有線の伝送媒体を介してゲートウェイ装置２へ伝送する。なお、有線の伝送媒体は、例えば、ＲＳ−４８５などのシリアル通信の規格に対応した電気ケーブルからなる。
【００２０】
表示装置５は、ネットワーク通信機能を有するテレビ受像機や、ネットワーク通信機能を有するタブレット形のコンピュータなどで構成される。
【００２１】
ネットワーク接続装置４は、ネットワーク(インターネット)７に接続するための回線の種類(電話回線、ＣＡＴＶ回線、光ファイバ回線など)に応じたＡＤＳＬモデムやケーブルモデムあるいはＯＮＵ(Optical Network Unit)などで構成されている。また、ネットワーク接続装置４は、ゲートウェイ装置２に設定されているプライベートなＩＰアドレスと、ネットワーク７に接続されているＷＡＮポートのグローバルなＩＰアドレスとを変換する処理(NAT:Network Address Translation)を行っている。したがって、ゲートウェイ装置２は、ネットワーク接続装置４を介してネットワーク７に接続され、遠隔地に設置されているサーバ３との間でデータ通信を行うことができる。なお、ネットワーク接続装置４は、複数のＬＡＮポートを有する、いわゆるブロードバンドルータとして構成されており、ゲートウェイ装置２及び表示装置５がＬＡＮケーブルを介してそれぞれＬＡＮポートに接続される。
【００２２】
ゲートウェイ装置２は、図２に示すように制御部２０、シリアル通信部２１、ネットワーク通信部２２、無線通信部２３、記憶部２４などを備える。シリアル通信部２１は、例えば、ＲＳ−４８５などの規格に準拠して、センサ親機１Ｘとの間でシリアル通信を行うように構成される。ネットワーク通信部２２は、ＬＡＮケーブルを介してネットワーク接続装置４のＬＡＮポートに接続され、有線のＬＡＮ規格(100BASE-TXなど)に準拠したデータ通信を行うように構成される。
【００２３】
無線通信部２３は、電波あるいは赤外線を伝送媒体とする無線信号を伝送するように構成される。制御部２０は、マイクロコンピュータからなるハードウェアと、マイクロコンピュータが実行するソフトウェアとで構成され、後述するような種々の情報処理を行うように構成される。記憶部２４は、フラッシュメモリのような電気的に書換可能な不揮発性の半導体メモリからなり、センサ端末１Ａ〜１Ｃの検知情報(計測値)などを記憶するように構成される。
【００２４】
本実施形態における機器、すなわち、エアコン６Ａ、加湿器６Ｂ、天井扇６Ｃは、それぞれゲートウェイ装置２の無線通信部２３との間で無線通信を行う機能を有している。また、これらの機器は、ゲートウェイ装置２が送信する無線信号を受信し、当該無線信号に含まれる制御コマンドによって、運転と停止の切り換えや設定温度及び設定湿度の変更、風速の増減などを行うように構成される。
【００２５】
上述のように構成される本実施形態では、複数種類のセンサ端末１Ａ〜１Ｃの検知情報(計測値)が、一定の周期でセンサ親機１Ｘを経由してゲートウェイ装置２に伝送される。ゲートウェイ装置２は、センサ親機１Ｘを経由して各センサ端末１Ａ〜１Ｃから取得する温度、湿度、活動量、風速の検知情報を、制御部２０が別の情報、例えば、住宅８内の快適性を表す情報に変換する。
【００２６】
快適性を表す情報とは、例えば、人の暑さや寒さの感覚(温冷感覚)を表す指標(体感指標)であり、本実施形態では、アメリカ暖房冷凍空調学会の標準となっている標準有効温度(Standard Effective Temperature:SET)を使用する。この標準有効温度は、気温、湿度の他に日射や風の影響、人の着衣状態や作業状態(活動量)も考慮した物理的、生理的理論に基づく指標である。ただし、体感指標として、標準有効温度の代わりに、国際標準化機構(International Organization forStandardization:ISO)の国際規格ISO7730で定義されているPMV(PredictedMean Vote：予測平均温冷感申告)を使用しても構わない。
【００２７】
図３は、室内をエアコンで空調しているときと、エアコンを停止して窓を開放しているときにおいて、室内の温度(室温)、床に近い場所(足元)の温度、室内の風速(気流)と、標準有効温度SETとの関係の一例を示している。図３に示す例では、エアコンを運転することで室温が２８℃、足元の温度が１６℃、気流(エアコンから吹き出す風の風速)が０．３メートル毎秒の場合、標準有効温度SETが２７．４℃である。一方、エアコンを停止することで室温及び足元の温度が３０℃、窓から入る風の風速が１．５メートル毎秒の場合、標準有効温度SETが２６．０℃となる。つまり、エアコンを運転するよりも、エアコンを停止して窓を開放する方が標準有効温度SETが低く、すなわち、快適性が向上すると考えられる。
【００２８】
ゲートウェイ装置２の制御部２０は、シリアル通信部２１でセンサ親機１Ｘから定期的に受信する検知情報(計測値)を記憶部２４に記憶する。そして、制御部２０は、記憶部２４に記憶した温度、湿度、活動量、風速の検知情報(計測値)から標準有効温度を算出し、算出(変換)した標準有効温度を記憶部２４に記憶する。
【００２９】
さらに、制御部２０は、記憶部２４から読み出した最新の標準有効温度をネットワーク通信部２２からネットワーク接続装置４を経由して表示装置５へ伝送する。表示装置５は、ゲートウェイ装置２から受け取った最新の標準有効温度を画面に表示することにより、利用者に対して、住宅８内の快適性を表す情報を提示する。
【００３０】
あるいは、制御部２０は、センサ端末１Ａ〜１Ｃの計測値から算出する標準有効温度を、記憶部２４に記憶している理想的な標準有効温度に近付けるように、１乃至複数の機器を制御するようにしてもよい。例えば、理想的な標準有効温度に保たれている状況で湿度の計測値が低下した場合、制御部２０は、制御コマンドを送信してエアコン６Ａの設定温度を上げるように制御すれば、快適性を保つことができる。あるいは、利用者の活動量が増加することで快適性が低下(標準有効温度が上昇)した場合、制御部２０は、制御コマンドを送信してエアコン６Ａの設定温度を下げるように制御すれば、快適性を保つことができる。若しくは、制御部２０は、エアコン６Ａの設定温度を上げる代わりに、制御コマンドを送信して天井扇６Ｃの風速を増加させるように制御すれば、快適性を保つことができる。
【００３１】
上述のように本実施形態のセンサシステムは、複数のセンサ端末１Ａ〜１Ｃと、情報処理装置(ゲートウェイ装置２)とを有する。複数のセンサ端末１Ａ〜１Ｃは、それぞれが利用者に関する異なる種類の事象(温度、湿度、活動量、風速)を検知し、検知情報を情報処理装置(ゲートウェイ装置２)へ伝送するように構成される。情報処理装置(ゲートウェイ装置２)は、センサ端末１Ａ〜１Ｃから伝送される複数種類の検知情報を別の情報(快適性指標)に変換し、変換後の別の情報を利用者に提供するように構成される。
【００３２】
本実施形態のセンサシステムは上述のように構成されるので、検知情報を変換した別の情報(快適性指標)を利用者に提示することにより、検知情報を単に利用者に提示する場合と比較して有用性の向上を図ることができる。
【００３３】
また、本実施形態のセンサシステムは、映像や文字を表示する表示装置５を有している。表示装置５は、情報処理装置(ゲートウェイ装置２)から受け取る別の情報を表示して利用者に提示するように構成される。
【００３４】
さらに、複数のセンサ端末１Ａ〜１Ｃは、利用者が活動する場所の気温を検知するセンサ端末１Ａと、活動場所の湿度を検知するセンサ端末１Ａと、活動場所の風速を検知するセンサ端末１Ｃと、利用者の活動量を検知するセンサ端末１Ｂとを少なくとも含む。情報処理装置(ゲートウェイ装置２)は、各センサ端末１Ａ〜１Ｃが検知する気温、湿度、風速、活動量の各検知情報を快適性を示す情報(標準有効温度)に変換するように構成される。
【００３５】
また、情報処理装置(ゲートウェイ装置２)は、活動場所(住宅８内)の環境を整える１乃至複数の機器(エアコン６Ａ、加湿器６Ｂ、天井扇６Ｃ)を制御し、快適性を向上させるように構成される。
【００３６】
本発明のセンサシステムは上述のように構成されるので、利用者が活動する場所(住宅８)の快適性を向上し且つ維持することにより、有用性の向上を図ることができる。
【００３７】
ところで、センサ端末１Ａ〜１Ｃから定期的に伝送される検知情報を記憶したり、これらの検知情報を別の情報(標準有効温度)に変換する作業を、ゲートウェイ装置２ではなく、サーバ３で行うようにしても構わない。
【００３８】
つまり、本実施形態のセンサシステムは、情報処理装置が、センサ端末１Ａ〜１Ｃから検知情報が伝送される伝送装置(ゲートウェイ装置２)と、伝送装置から検知情報を取得し、取得した検知情報を別の情報に変換する主装置(サーバ３)とを有していても構わない。
【００３９】
上記構成によれば、ゲートウェイ装置２の制御部２０における処理負荷を軽減することができる。その結果、制御部２０を高性能のマイクロコンピュータで構成する必要がなくなり、ゲートウェイ装置２の製造コストの削減を図ることができる。
【００４０】
なお、本実施形態では４種類の事象(温度、湿度、風速、活動量)をセンサ端末１Ａ〜１Ｃで検知しているが、これら以外の事象、例えば、日射量などを検知するセンサ端末を有していても構わない。また、検知情報を変換して得られる別の情報は快適性指標(標準有効温度)に限定されるものではない。
【符号の説明】
【００４１】
１Ａ〜１Ｃ  センサ端末
２  ゲートウェイ装置(情報処理装置)
【図１】
2015081718.tif 000003
【図２】
2015081718.tif 000004
【図３】
2015081718.tif 000005